【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
電子式蛇口又は水洗トイレの流量バルブを制御するための光センサを含むシステムであって、
光入力ポートに配置され、及び無効なターゲットを排除する所定のサイズ及び向きを有する検出視界を画定するよう構成され配置された、光学要素と、
該光学要素及び前記光入力ポートに光学的に結合され、前記検出視界から到達した周囲光を検出するよう構成された、光検出器と、
前記流量バルブの開閉を制御するための制御回路であって、前記検出された周囲光に対応する前記光検出器からの信号を受信し、及び該周囲光のバックグランドレベル及び該周囲光の現在のレベルに基づいて前記流量バルブの前記開閉を決定するよう構成されており、更に、前記検出視界内のユーザの存在に起因する前記周囲光の増減の検出を用いた検出アルゴリズムを実行することにより前記開閉を制御するよう構成されており、及び前記光学要素により画定される前記検出視界のサイズ及び向きを考慮する較正ルーチンを実行する、制御回路と
を含むシステム。
【請求項２】
前記光学要素が、水平よりも下方に傾斜した前記検出視界を提供するよう更に構成されている、請求項１に記載のシステム。
【請求項３】
前記光学要素が、水平よりも下方に傾斜すると共にトイレ又は小便器に対して対称的である前記検出視界を提供するよう更に構成されている、請求項１に記載のシステム。
【請求項４】
前記光学要素が、水平よりも下方に傾斜すると共にトイレ又は小便器に対して非対称的である前記検出視界を提供するよう更に構成されている、請求項１に記載のシステム。
【請求項５】
前記光学要素が、水平よりも下方に及び水平よりも上方に傾斜する前記検出視界を提供するよう更に構成されている、請求項１に記載のシステム。
【請求項６】
前記光検出器が、400〜1000nmの範囲の光を検出するよう構成されている、請求項１ないし請求項５の何れか一項に記載のシステム。
【請求項７】
前記制御回路が、前に検出された光の量に基づいて前記光検出器を定期的にサンプリングするよう構成されている、請求項１ないし請求項５の何れか一項に記載のシステム。
【請求項８】
前記制御回路が、最初にユーザの到来を検出し次いで該ユーザが立ち去ったことを検出したことに基づいて前記流量バルブを開閉させるよう構成されている、請求項１ないし請求項５の何れか一項に記載のシステム。
【請求項９】
前記制御回路が、ユーザの存在の検出に基づいて前記流量バルブを開閉させるよう構成されている、請求項１ないし請求項５の何れか一項に記載のシステム。
【請求項１０】
前記光学要素が光ファイバを含む、請求項１ないし請求項５の何れか一項に記載のシステム。
【請求項１１】
前記光学要素がレンズを含む、請求項１ないし請求項５の何れか一項に記載のシステム。
【請求項１２】
前記光学要素がピンホールを含む、請求項１ないし請求項５の何れか一項に記載のシステム。
【請求項１３】
前記光学要素がスリットを含む、請求項１ないし請求項５の何れか一項に記載のシステム。
【請求項１４】
前記光学要素が光学フィルタを含む、請求項１ないし請求項５の何れか一項に記載のシステム。
【請求項１５】
前記光入力ポートが蛇口の通気装置内に配置される、請求項１ないし請求項５の何れか一項に記載のシステム。
【請求項１６】
前記光入力ポートが蛇口の通気装置に隣接して配置される、請求項１ないし請求項５の何れか一項に記載のシステム。
【請求項１７】
前記制御回路が、前記光検出器が光の量の増大を検出した後にユーザの到来を確認する、請求項１に記載のシステム。
【請求項１８】
前記流量バルブが電子式蛇口システム内に含まれる、請求項１に記載のシステム。
【請求項１９】
前記流量バルブが水洗トイレシステム内に含まれる、請求項１に記載のシステム。
【請求項２０】
前記光検出器がフォトダイオードを含む、請求項１８又は請求項１９に記載のシステム。
【請求項２１】
前記光検出器がフォトレジスタを含む、請求項１８又は請求項１９に記載のシステム。
【請求項２２】
前記光検出器が1〜1000ルクスの範囲の光を受光するように前記光学要素及び前記光入力ポートが構成されている、請求項１８又は請求項１９に記載のシステム。
【請求項２３】
光センサを使用して電子式蛇口又は水洗トイレの流量バルブを制御する方法であって、
光入力ポートに配置され、及び無効なターゲットを排除する所定のサイズ及び向きを有する検出視界を画定するよう構成され配置された、光学要素を配設し、
該光学要素及び前記光入力ポートに光学的に結合された光検出器を配設し、
前記検出視界から前記光検出器に到達した周囲光を検出し、
該検出された周囲光に対応する信号を前記光検出器から制御回路へ提供し、
該制御回路及び前記検出された周囲光に対応する前記信号を使用して前記流量バルブの開閉を制御する、
という各ステップを含み、該流量バルブの開閉を制御する該ステップが、
前記周囲光のバックグランドレベル及び該周囲光の現在のレベルに基づいて前記流量バルブの前記開閉を決定し、
前記検出視界内のユーザの存在に起因する前記周囲光の増減の検出を用いた検出アルゴリズムを実行し、
前記光学要素により画定される前記検出視界のサイズ及び向きを考慮する較正ルーチンを実行する、
という各ステップを含む、流量バルブの制御方法。
【請求項２４】
水平よりも下方に傾斜した前記検出視界を前記光学要素により提供するステップを含む、請求項２３に記載の流量バルブの制御方法。
【請求項２５】
水平よりも下方に傾斜すると共にトイレ又は小便器に対して対称的である前記検出視界を前記光学要素により提供するステップを含む、請求項２３に記載の流量バルブの制御方法。
【請求項２６】
水平よりも下方に傾斜すると共にトイレ又は小便器に対して非対称的である前記検出視界を前記光学要素により提供するステップを含む、請求項２３に記載の流量バルブの制御方法。
【請求項２７】
水平よりも下方に及び水平よりも上方に傾斜する前記検出視界を前記光学要素により提供するステップを含む、請求項２３に記載の流量バルブの制御方法。
【請求項２８】
前記制御回路が、前に検出された光の量に基づいて前記光検出器の定期的なサンプリングを実行するよう構成されている、請求項２３ないし請求項２７の何れか一項に記載の流量バルブの制御方法。
【請求項２９】
前記制御回路が、施設が使用中であるか否かを判定した後に検出された光の量に基づいてサンプリング周期を調節するよう構成される、請求項２３ないし請求項２７の何れか一項に記載の流量バルブの制御方法。
【請求項３０】
前記制御回路が、スリープ及び測定期間を循環するよう構成される、請求項２３ないし請求項２７の何れか一項に記載の流量バルブの制御方法。
【請求項３１】
前記流量バルブが電子式蛇口内に含まれる、請求項２３に記載の流量バルブの制御方法。
【請求項３２】
前記流量バルブが水洗トイレ内に含まれる、請求項２３に記載の流量バルブの制御方法。
【請求項３３】
前記光検出器がフォトダイオードを含む、請求項２３ないし請求項２７の何れか一項に記載の流量バルブの制御方法。
【請求項３４】
前記光検出器がフォトレジスタを含む、請求項２３ないし請求項２７の何れか一項に記載の流量バルブの制御方法。
【請求項３５】
前記光検出器が1〜1000ルクスの範囲の光を受光するように前記光学要素及び前記光入力ポートが構成されている、請求項２３ないし請求項２７の何れか一項に記載の流量バルブの制御方法。
【請求項３６】
センサベースの蛇口システムであって、
水を受容するための少なくとも１つの入口と水を提供するための少なくとも１つの出口とを有する水導管を含む蛇口本体と、
光学要素により画定された検出視界から到達した周囲光を検出するよう構成され、及び電子制御回路に提供されるセンサ出力信号を生成するよう構成された、光検出器と、
前記電子制御回路により提供された制御信号に基づいてメインバルブの開放状態とメインバルブの閉鎖状態とを切り替えるよう構成されたアクチュエータにより制御されるメインバルブであって、該メインバルブの前記開放状態が水の流れを可能とし、該メインバルブの前記閉鎖状態が前記出口からの水の流れを阻止する、メインバルブと
を含む、センサベースの蛇口システム。
【請求項３７】
前記出口からの水を受容する通気装置を含み、前記センサが、少なくとも部分的に前記通気装置内に配置されたセンサポートに結合される、請求項３６に記載のセンサベースの蛇口システム。
【請求項３８】
前記センサが、光ファイバにより前記センサポートに光学的に結合された光センサである、請求項３６又は請求項３７に記載のセンサベースの蛇口システム。
【請求項３９】
センサベースの自動水洗トイレシステムであって、
水を受容するための入口と水をトイレ又は小便器に提供するための出口とを有する水導管を含む水洗トイレ本体と、
光学要素により画定された検出視界から到達した周囲光を検出するよう構成され、及び電子制御回路に提供される検出器出力信号を生成するよう構成された、光検出器とを含み、前記電子制御回路が、前記光検出器及び電磁アクチュエータの動作を制御するよう構成されており、及び、
前記電子制御回路からの制御信号に基づいてメインバルブの開放状態とメインバルブの閉鎖状態とを切り替えるよう構成された前記電磁アクチュエータにより制御されるメインバルブであって、該メインバルブの前記開放状態が水の流れを可能とし、該メインバルブの前記閉鎖状態が前記出口からの水の流れを阻止する、メインバルブを含む、
センサベースの自動水洗トイレシステム。